(57)【要約】【課題】ＩＣカードを所持する際における撓みなどの変形の危険性を予防して、ＩＣカードの破損や変形から保護するＩＣカード保持具とその使用方法を提供する。【解決手段】略凹状に形成された枠体を有し、前記枠体の内周面側にＩＣカード挿入用の凹状の溝部が形成され、前記枠体が、前記溝部に装着されたＩＣカードの接続端子部を露出する形状を有していることを特徴とするＩＣカード保持具と、前記ＩＣカード保持具に、ＩＣカードが有する接続端子部が露出する状態で、前記ＩＣカードを前記溝部内に装着させ、前記ＩＣカードが装着された状態のままＩＣカード保持具をＩＣカードリーダライタのＩＣカード挿入部に挿入することを特徴とするＩＣカード保持具の使用方法。【選択図】        図３
2004171315.tif 000002
【特許請求の範囲】
【請求項１】
ＩＣカード保持具であって、ＩＣカードを格納するカード格納部と、ＩＣカード保持具をＩＣカードリーダライタに嵌め込む接続部とを有していることを特徴とするＩＣカード保持具。
【請求項２】
表面に接続端子部を有するＩＣカードを保持するＩＣカード保持具であって、略凹状等に形成された枠体を有し、前記枠体の内周面側にＩＣカード挿入用の凹状の溝部が形成され、前記枠体が、前記溝部に装着されたＩＣカードの接続端子部を露出する形状を有していることを特徴とするＩＣカード保持具。
【請求項３】
前記枠体に、紐等を通す機構が設けられていることを特徴とする請求項２記載のＩＣカード保持具。
【請求項４】
前記略凹状等に形成された枠体に、カバーを付与した構造を有することを特徴とする請求項２記載のＩＣカード保持具。
【請求項５】
略凹状等に形成された枠体を有し、前記枠体の内周面側にＩＣカード挿入用の凹状の溝部が形成されたＩＣカード保持具に、ＩＣカードの接続端子部が露出する状態で、前記ＩＣカードを前記溝部内に装着させ、前記ＩＣカードが装着された状態のままＩＣカード保持具をＩＣカードリーダライタのＩＣカード挿入部に挿入することを特徴とするＩＣカード保持具の使用方法。
【請求項６】
前記ＩＣカード挿入部に、前記ＩＣカード保持具を傾斜させた状態で挿入させることを特徴とする請求項５記載のＩＣカード保持具の使用方法。
【発明の詳細な説明】
【０００１】
【発明の属する技術分野】
本発明は、表面に接続端子部を有するＩＣカードを保持するためのＩＣカード保持具及びその使用方法に関する。
【０００２】
【従来の技術】
従来、ＩＣモジュールが基材に埋設され、表面に接続端子部を有するプラスチック性のＩＣカードが種々の用途に使用されている。
これらのＩＣカードは、一般的に使用されているクレジットカードのサイズと同様に、幅寸法が約５．４ｍｍ、長さ寸法が約８．５ｍｍ、厚さ寸法が０．７６ｍｍのものが市場に多く出回っている。
【０００３】
これらのＩＣカードは、弾力性のあるプラスチックで構成されているので、乱暴にＩＣカードリーダライタのカード挿入口からＩＣカードを挿入しようとした際に、ＩＣカードの先端側をカード挿入口の縁に押し当てるなどして、ＩＣカードを折り曲げて破損してしまう危険性がある。
また、財布やカード入れなどにＩＣカードを入れて、ズボンの後ろ側のポケットに入れて持ち歩くなどした場合には、ＩＣカードが撓んで変形してしまう危険性もある。
【０００４】
また、従来より、ＩＣカードなどのプラスチックカードを保護するためのカードケースや保護具は、種々知られている。（例えば、特許文献１、特許文献２及び特許文献３参照）
しかしながら、これらのケースや保護具は、ＩＣカードを使用する場合には、その都度、ケースからＩＣカードを取出す必要があり、ケースに対する出し入れが面倒であるという問題がある。
【０００５】
【特許文献１】
特開平１０−３０７９０２号公報
【特許文献２】
特開平８−１５６４７２号公報
【特許文献３】
特開平６−２４１８６号公報
【０００６】
【発明が解決しようとする課題】
本発明は、ＩＣカードを所持する際における撓みなどの変形の危険性を予防して、ＩＣカードの破損や変形から保護するＩＣカード保持具を提供する。
また、ＩＣカードをＩＣカードリーダライタのカード挿入口から挿入する際における、ＩＣカードの折り曲げ破損などの防止をすることができるＩＣカード保持具の使用方法を提供する。
【０００７】
【課題を解決するための手段】
本発明のＩＣカード保持具は、ＩＣカード保持具であって、ＩＣカードを格納するカード格納部と、ＩＣカード保持具をＩＣカードリーダライタに嵌め込む接続部とを有していることを特徴とする。
【０００８】
また、本発明のＩＣカード保持具は、表面に接続端子部を有するＩＣカードを保持するＩＣカード保持具であって、略凹状等に形成された枠体を有し、前記枠体の内周面側にＩＣカード挿入用の凹状の溝部が形成され、前記枠体が、前記溝部に装着されたＩＣカードの接続端子部を露出する形状を有していることを特徴とする。
【０００９】
更に、本発明のＩＣカード保持具は、前記枠体に、紐等を通す機構が設けられていることを特徴とする。
【００１０】
また、本発明のＩＣカード保持具は、前記略凹状等に形成された枠体に、カバーを付与した構造を有することを特徴とする。
【００１１】
また、本発明のＩＣカード保持具の使用方法は、略凹状等に形成された枠体を有し、前記枠体の内周面側にＩＣカード挿入用の凹状の溝部が形成されたＩＣカード保持具に、ＩＣカードの接続端子部が露出する状態で、前記ＩＣカードを前記溝部内に装着させ、前記ＩＣカードが装着された状態のままＩＣカード保持具をＩＣカードリーダライタのＩＣカード挿入部に挿入することを特徴とする。
【００１２】
更に、本発明のＩＣカード保持具の使用方法は、前記ＩＣカード挿入部に、前記ＩＣカード保持具を傾斜させた状態で挿入させることを特徴とする。
【００１３】
【発明の実施の形態】
以下、本発明の実施の形態を図面に基づいて詳細に説明する。
図１は、本発明の第１実施形態に係るＩＣカード保持具の斜視図、図２は、本発明の第１実施形態に係るＩＣカード保持具にＩＣカードを挿入する途中の状態を示す斜視図、図３は、本発明の第１実施形態に係るＩＣカード保持具にＩＣカードを装着させた状態を示す斜視図、図４は、本発明の第１実施形態に係るＩＣカード保持具の側面図、図５は、本発明の第１実施形態に係るＩＣカード保持具の平面図、図６は、本発明の第１実施形態に係るＩＣカード保持具にＩＣカードを装着させ、携帯型ＩＣカードリーダにＩＣカード保持具を挿入する状態を示す斜視図、図７は、本発明の第１実施形態に係るＩＣカード保持具にＩＣカードを装着させ、携帯型ＩＣカードリーダにＩＣカード保持具をセットさせた状態を示す斜視図、図８は、本発明の第１実施形態に係るＩＣカード保持具にＩＣカードを装着させ、携帯型ＩＣカードリーダにＩＣカード保持具をセットさせた状態を示す側面図、図９は、本発明の第２実施形態に係るＩＣカード保持具の斜視図、図１０は、本発明の第２実施形態に係るＩＣカード保持具にＩＣカードを装着させた状態を示す斜視図、図１１は、本発明の第２実施形態に係るＩＣカード保持具にＩＣカードを装着させ、携帯型ＩＣカードリーダにＩＣカード保持具を傾斜さてセットした状態を示す側面図、図１２は、本発明の第２実施形態に係るＩＣカード保持具にカバーを付与した状態を示す斜視図、図１３は、本発明の第２実施形態に係るＩＣカード保持具にカバーを付与した状態を示す他の例の斜視図である。
【００１４】
本発明の第１実施形態に係るＩＣカード保持具１は、図１に示すように、硬質のポリ塩化ビニル樹脂などの合成樹脂からなる略凹状等に形成された枠体２を有している。
そして、枠体２の内周面側には、ＩＣカード３の相対する側辺をスライドさせて挿入し、ＩＣカード３の３辺縁側を収納状態にさせるＩＣカードを格納するカード格納部であって、ＩＣカード挿入用の凹状の溝部４が形成されている。
【００１５】
ＩＣカードの外形寸法は、通常、幅寸法が約５．４ｍｍ、長さ寸法が約８．５ｍｍ、厚さ寸法が約０．７６ｍｍであり、枠体２の凹状の溝部４は、溝部４の深さが２〜８ｍｍ程度とすることが好ましい。
これは、溝部４が２ｍｍより浅いと、ＩＣカード３を溝部４に挿入する際に、ＩＣカード３の撓みにより凹状の溝部４からＩＣカード３が外れる危険性があり、また、溝部４が８ｍｍより深いと、ＩＣカード３の表面に設けられている接続端子部５が露出しないで、溝部４により覆い隠されてしまい、ＩＣカード保持具１にＩＣカード３をセットさせた状態で、接続端子部５とＩＣカードリーダライタの接続端子が接触できない危険性があるからである。
【００１６】
いづれにしても、本発明のＩＣカード保持具１は、ＩＣカードを格納するカード格納部であって、枠体２のＩＣカード挿入用の凹状の溝部４に、ＩＣカード３が装着された場合でも、ＩＣカード３の接続端子部が露出可能な形状を有していることが必要である。
更に、枠体２の側部には、ＩＣカード保持具１をＩＣカードリーダライタ６に嵌め込むための凸状を有する接続部７が設けられている。
また、枠体２の所望部分に孔部１５を形成させて、この孔に紐などを通すことで、首に下げて所持するようにしてもよい。
また、枠体２のＩＣカード挿入用の凹状の溝部４に、ＩＣカード３が装着させた場合に、ＩＣカード３と重ね合わせて種々の模様や、文字を表示させた装飾シートを設けてもよい。
【００１７】
次に、ＩＣカード保持具１を使用する場合の使用方法について説明する。
図２に示すように、ＩＣカード保持具１を使用する場合は、ＩＣカード挿入用の凹状の溝部４に中にＩＣカード３を挿入させて、溝部４内をスライドさせ図３に示すように、ＩＣカード３を完全な装着状態とする。
ＩＣカード保持具１に完全な装着状態とした場合には、ＩＣカード３の３辺縁側において溝部４に収納されているので、ＩＣカード保持具１によりＩＣカード３が折れ曲がらないように保護状態とすることができる。
【００１８】
次に、ＩＣカードリーダライタ６にＩＣカード３をセットさせて、ＩＣカード３に記憶されたデータの読み取りなどの処理を行う場合には、図３乃至図４に示すように、ＩＣカードリーダライタ６に備えられているＩＣカード挿入部１５に対して、枠体２の側部に形成された凸状を有する接続部７を嵌め込んだ状態でスライドさせることで、ＩＣカード３が装着された状態のままＩＣカード保持具１をＩＣカードリーダライタ６内に挿入させセットする。
【００１９】
図７には、携帯型のＩＣカードリーダ６にＩＣカード３が装着された状態のままＩＣカード保持具１が挿入されてセットされた状態が示してある、本発明では、ＩＣカード３を所持している場合にも、またＩＣカード３をＩＣカードリーダ６にセットさせる場合にも、常にＩＣカード保持具１にＩＣカード３が装着されたままの状態で行えるようにしてある。
【００２０】
次に、本発明の第２実施形態に係るＩＣカード保持具１０について、図９乃至図１０に基づいて説明する。
このＩＣカード保持具１０は、ＩＣカードの長辺方向にスライドさせてセット可能なように、ＩＣカードの一方の短辺を残して他の３辺側がＩＣカード保持具１０により保護されるように、硬質のポリ塩化ビニル樹脂などの合成樹脂からなる略凹状等に形成された枠体１１を有している。
【００２１】
そして、枠体１１の内周面側には、ＩＣカード３の相対する側辺をスライドさせて挿入し、ＩＣカード３の３辺縁側を収納状態にさせるＩＣカードを格納するカード格納部であって、ＩＣカード挿入用の凹状の溝部１２が形成されている。更に、枠体１１の側部には、ＩＣカード保持具１０をＩＣカードリーダライタ６に嵌め込むための凸状を有する接続部１３が設けられている。
また、枠体１１の所望部分に孔部１６を形成させて、この孔に紐などを通すことで、首に下げて所持するようにしてもよい。
【００２２】
また、図１１には、本発明の第２実施形態に係るＩＣカード保持具１０を用いたその他の使用例が示されている。
図１１の場合には、ＩＣカード挿入部に、ＩＣカード保持具１０を傾斜させた状態で挿入させることで、ＩＣカード保持具１０にＩＣカード３をセットさせたままの状態で装着させたものである。
このように、傾斜させた状態で、ＩＣカード保持具１０にＩＣカード３をセットした場合でも、少なくともＩＣカード３の接続端子部がＩＣカードリーダライタ６内にセットされれば、ＩＣカードリーダライタ６側の接続端子部と接触可能であるのでアクセスを行うことができるものである。
【００２３】
また、図１２に示すように、本発明の第２実施形態に係るＩＣカード保持具にカバー１７を付与した状態とすることでＩＣカード保持具１０ａのような構造としてもよい。
更に、図１３に示すように、本発明の第２実施形態に係るＩＣカード保持具にカバー１７を付与するとともに、枠体１１に一部を切り欠いて、ＩＣカード保持具１０ｂのような構造としてもよい。
このカバー１７を枠体１１の一部に設けることで、ＩＣカード３を確実に枠体１１内に保持することができる。
【００２４】
【発明の効果】
以上説明したように、本発明のＩＣカード保持具は、ＩＣカードを格納させた状態のままＩＣカード保持具ごとＩＣカードリーダライタにセット可能であるので、ＩＣカードを所持している際の撓みなどの変形を予防することができ、更にＩＣカードリーダライタにＩＣカードをセットする際でもＩＣカードを保護させた状態でＩＣカードリーダライタにセットさせることができるという効果がある。
また、本発明のＩＣカード保持具は、硬質の合成樹脂からなる略凹状等に形成された枠体によりＩＣカードの３周辺縁を保護しているので、ＩＣカードを所持している際の撓みなどの変形を予防することができるという効果がある。
また、本発明のＩＣカード保持具の使用方法は、ＩＣカード保持具によりＩＣカードの３周辺縁を保護した状態のまま、ＩＣカードリーダライタのカード挿入口から挿入するので、カード挿入口に挿入する際におけるＩＣカードを折り曲げ破損などを防止することができるという効果がある。
更に、ＩＣカードリーダライタにＩＣカードを格納させた状態のままＩＣカード保持具ごと傾斜させてセットすることで、ＩＣカードをセットする際の利便性が増すという効果がある。
また、枠体に、紐等を通す機構が設けられているので、ＩＣカード保持具を首にさげて所持することができるという効果がある。
更に、カバーを枠体の一部に設けることで、ＩＣカードを確実に枠体内に保持することができるという効果がある。
【図面の簡単な説明】
【図１】本発明の第１実施形態に係るＩＣカード保持具の斜視図である。
【図２】本発明の第１実施形態に係るＩＣカード保持具にＩＣカードを挿入する途中の状態を示す斜視図である。
【図３】本発明の第１実施形態に係るＩＣカード保持具にＩＣカードを装着させた状態を示す斜視図である。
【図４】本発明の第１実施形態に係るＩＣカード保持具の側面図である。
【図５】本発明の第１実施形態に係るＩＣカード保持具の平面図である。
【図６】本発明の第１実施形態に係るＩＣカード保持具にＩＣカードを装着させ、携帯型ＩＣカードリーダにＩＣカード保持具を挿入する状態を示す斜視図である。
【図７】本発明の第１実施形態に係るＩＣカード保持具にＩＣカードを装着させ、携帯型ＩＣカードリーダにＩＣカード保持具をセットさせた状態を示す斜視図である。
【図８】本発明の第１実施形態に係るＩＣカード保持具にＩＣカードを装着させ、携帯型ＩＣカードリーダにＩＣカード保持具をセットさせた状態を示す側面図である。
【図９】本発明の第２実施形態に係るＩＣカード保持具の斜視図である。
【図１０】本発明の第２実施形態に係るＩＣカード保持具にＩＣカードを装着させた状態を示す斜視図である。
【図１１】本発明の第２実施形態に係るＩＣカード保持具にＩＣカードを装着させ、携帯型ＩＣカードリーダにＩＣカード保持具を傾斜さてセットした状態を示す側面図である。
【図１２】本発明の第２実施形態に係るＩＣカード保持具にカバーを付与した状態を示す斜視図である。
【図１３】本発明の第２実施形態に係るＩＣカード保持具にカバーを付与した状態を示す他の例の斜視図である。
【符号の説明】
１，１０  ＩＣカード保持具
２，１１  枠体
３  ＩＣカード
４，１２  溝部
５  接続端子部
６  ＩＣカードリーダライタ
１３  接続部
１５，１６  孔部
１７  カバー
【図１】
2004171315.tif 000003
【図２】
2004171315.tif 000004
【図３】
2004171315.tif 000005
【図４】
2004171315.tif 000006
【図５】
2004171315.tif 000007
【図６】
2004171315.tif 000008
【図７】
2004171315.tif 000009
【図８】
2004171315.tif 000010
【図９】
2004171315.tif 000011
【図１０】
2004171315.tif 000012
【図１１】
2004171315.tif 000013
【図１２】
2004171315.tif 000014
【図１３】
2004171315.tif 000015